(57)【要約】【課題】同じ内容の番組を放送する放送局に関する情報を、受信状態を踏まえてユーザーに提示できるようにすることを目的とする。【解決手段】車載受信装置１は、ＡＭ番組を受信するＡＭチューナー部１３１と、ＦＭ番組を信可能なＦＭチューナー部１３２と、ＡＭ番組の内容とＦＭ番組の内容とを比較する番組比較部１４４と、ＦＭ番組の受信状態を測定する受信状態測定部１３３と、放送局に関する情報を表示するタッチパネル１２と、ＡＭ番組を放送する放送局に対し、ＡＭ番組と同一の内容のＦＭ番組を放送可能な放送局がある場合、ＡＭ番組の内容とＦＭ番組の内容とを番組比較部１４４により比較し、ＡＭ番組とＦＭ番組とが同一の番組である場合、ＦＭチューナー部１３２により受信したＦＭ番組を放送する放送局に関する情報を、ＦＭ番組の受信状態に応じた態様でタッチパネル１２により表示する制御部１０と、を備える。【選択図】図１
2018074185.tif 000002
【特許請求の範囲】
【請求項１】
第１の番組を受信する第１の放送受信部と、
前記第１の番組と異なる放送方式の第２の番組を、前記第１の放送受信部と独立して受信可能な第２の放送受信部と、
前記第１の放送受信部により受信した前記第１の番組の内容と、前記２の放送受信部により受信した前記第２の番組の内容とを比較する番組比較部と、
前記第２の番組の受信状態を測定する受信状態測定部と、
受信可能な番組、もしくは、受信した番組を放送する放送局に関する情報を表示する表示部と、
前記第１の放送受信部により受信した前記第１の番組を放送する放送局に対し、前記第１の番組と同一の内容の前記第２の番組を放送可能な放送局がある場合、前記第１の番組の内容と前記第２の番組の内容とを前記番組比較部により比較し、前記番組比較部による比較の結果、前記第１の番組と前記第２の番組とが同一の番組である場合、前記第２の放送受信部により受信した前記第２の番組を放送する前記放送局に関する情報を、前記第２の番組の受信状態に応じた態様で前記表示部により表示する制御部と、を備える
ことを特徴とする放送受信装置。
【請求項２】
前記制御部は、
前記番組比較部による比較の結果、前記第１の番組と前記第２の番組とが同一の番組でない場合、前記第２の放送受信部により受信した前記第２の番組を放送する前記放送局に関する情報を、前記第２の番組の受信状態に応じた態様と異なる態様で前記表示部により表示する
ことを特徴とする請求項１に記載の放送受信装置。
【請求項３】
前記制御部は、
前記番組比較部による比較の結果、前記第１の番組と同一の番組である前記第２の番組が複数ある場合、最も受信状態の良い前記第２の番組を放送する前記放送局に関する情報を前記表示部により表示する
ことを特徴とする請求項１に記載の放送受信装置。
【請求項４】
前記放送局に関する情報は、前記放送局の名称を示す情報、又は、前記放送局の周波数を示す情報である
ことを特徴とする請求項１から３のいずれか一項に記載の放送受信装置。
【請求項５】
前記第１の番組を放送する第１の放送局の周波数を示す情報と、前記第１の放送局とサイマル関係にある第２の放送局の周波数を示す情報とが対応付く放送局対応情報を記憶する記憶部を備え、
前記制御部は、前記放送局対応情報に基づき、前記第１の放送局に対し前記第２の放送局がある場合、前記第１の放送局の名称を示す情報、及び、前記第１の放送局の周波数を示す情報と前記第２の放送局の周波数を示す情報との組を、同時に、前記表示部により表示する
ことを特徴とする請求項４のいずれか一項に記載の放送受信装置。
【請求項６】
前記制御部は、
前記放送局対応情報に基づき、前記第１の放送局に対し前記第２の放送局がない場合、前記表示部により、前記第１の放送局に対し前記第２の放送局がないことを示す表示を実行する
ことを特徴とする請求項５に記載の放送受信装置。
【請求項７】
前記制御部は、
前記放送局に関する情報を、選択可能な態様で前記表示部により表示する
ことを特徴とする請求項１から６のいずれか一項に記載の放送受信装置。
【請求項８】
前記放送方式は、アナログ方式の、ＡＭ放送方式、及び、ＦＭ放送方式のいずれかである
ことを特徴とする請求項１から７のいずれか一項に記載の放送受信装置。
【請求項９】
受信可能な番組、もしくは、受信した番組を放送する放送局に関する情報を表示する表示方法であって、
受信した第１の番組を放送する放送局に対し、前記第１の番組と同一の内容の第２の番組を放送する放送局がある場合、前記第１の番組の内容と前記第２の番組の内容とを比較し、比較の結果、前記第１の番組と前記第２の番組とが同一の番組である場合、受信した前記第２の番組を放送する前記放送局に関する情報を、前記第２の番組の受信状態に応じた態様で表示する
ことを特徴とする表示方法。
【発明の詳細な説明】
【技術分野】
【０００１】
本発明は、放送受信装置、及び、表示方法に関する。
【背景技術】
【０００２】
従来、放送局が放送する番組を受信する放送受信装置が知られている（例えば、特許文献１参照）。特許文献１では、異なる放送形態で異なる番組を放送している放送局を検出し、受信可能な放送局の番組のうち、同一の放送局の異なる放送形態で放送されている番組をリスト表示する放送受信装置を開示する。
【先行技術文献】
【特許文献】
【０００３】
【特許文献１】特開２０１３−２６９０２号公報
【発明の概要】
【発明が解決しようとする課題】
【０００４】
一般に、ある放送局が放送する番組と同じ内容の番組を、異なる放送方式で放送するサイマル放送が知られている。ユーザーは、サイマル放送する放送局を選択することで、ある放送局が放送する番組と同じ内容の番組を聴取することが可能であるが、サイマル放送される番組の受信状態が悪い場合がある。この場合に、ユーザーがサイマル放送する放送局を選択すると、受信状態の悪い番組を聴取することになる。
そこで、本発明は、同じ内容の番組を放送する放送局に関する情報を、受信状態を踏まえてユーザーに提示できるようにすることを目的とする。
【課題を解決するための手段】
【０００５】
上記目的を達成するために、本発明の放送受信装置は、第１の番組を受信する第１の放送受信部と、前記第１の番組と異なる放送方式の第２の番組を、前記第１の放送受信部と独立して受信可能な第２の放送受信部と、前記第１の放送受信部により受信した前記第１の番組の内容と、前記２の放送受信部により受信した前記第２の番組の内容とを比較する番組比較部と、前記第２の番組の受信状態を測定する受信状態測定部と、受信可能な番組、もしくは、受信した番組を放送する放送局に関する情報を表示する表示部と、前記第１の放送受信部により受信した前記第１の番組を放送する放送局に対し、前記第１の番組と同一の内容の前記第２の番組を放送可能な放送局がある場合、前記第１の番組の内容と前記第２の番組の内容とを前記番組比較部により比較し、前記番組比較部による比較の結果、前記第１の番組と前記第２の番組とが同一の番組である場合、前記第２の放送受信部により受信した前記第２の番組を放送する前記放送局に関する情報を、前記第２の番組の受信状態に応じた態様で前記表示部により表示する制御部と、を備える。
【０００６】
上記構成において、前記制御部は、前記番組比較部による比較の結果、前記第１の番組と前記第２の番組とが同一の番組でない場合、前記第２の放送受信部により受信した前記第２の番組を放送する前記放送局に関する情報を、前記第２の番組の受信状態に応じた態様と異なる態様で前記表示部により表示してもよい。
【０００７】
また、上記構成において、前記制御部は、前記番組比較部による比較の結果、前記第１の番組と同一の番組である前記第２の番組が複数ある場合、最も受信状態の良い前記第２の番組を放送する前記放送局に関する情報を前記表示部により表示してもよい。
【０００８】
また、上記構成において、前記放送局に関する情報は、前記放送局の名称を示す情報、又は、前記放送局の周波数を示す情報としてもよい。
【０００９】
また、上記構成において、前記第１の番組を放送する第１の放送局の周波数を示す情報と、前記第１の放送局とサイマル関係にある第２の放送局の周波数を示す情報とが対応付く放送局対応情報を記憶する記憶部を備え、前記制御部は、前記放送局対応情報に基づき、前記第１の放送局に対し前記第２の放送局がある場合、前記第１の放送局の名称を示す情報、及び、前記第１の放送局の周波数を示す情報と前記第２の放送局の周波数を示す情報との組を、同時に、前記表示部により表示してもよい。
【００１０】
また、上記構成において、前記制御部は、前記放送局対応情報に基づき、前記第１の放送局に対し前記第２の放送局がない場合、前記表示部により、前記第１の放送局に対し前記第２の放送局がないことを示す表示を実行してもよい。
【００１１】
また、上記構成において、前記制御部は、前記放送局に関する情報を、選択可能な態様で前記表示部により表示してもよい。
【００１２】
また、上記構成において、前記放送方式は、アナログ方式の、ＡＭ放送方式、及び、ＦＭ放送方式のいずれかとしてもよい。
【００１３】
上記目的を達成するために、本発明は、受信可能な番組、もしくは、受信した番組を放送する放送局に関する情報を表示する表示方法であって、受信した第１の番組を放送する放送局に対し、前記第１の番組と同一の内容の第２の番組を放送する放送局がある場合、前記第１の番組の内容と前記第２の番組の内容とを比較し、比較の結果、前記第１の番組と前記第２の番組とが同一の番組である場合、受信した前記第２の番組を放送する前記放送局に関する情報を、前記第２の番組の受信状態に応じた態様で表示することを特徴とする。
【発明の効果】
【００１４】
本発明によれば、同じ内容の番組を放送する放送局に関する情報を、受信状態を踏まえてユーザーに提示できる。
【図面の簡単な説明】
【００１５】
【図１】車載受信装置の構成を示すブロック図である。
【図２】車載受信装置の動作を示すフローチャートである。
【図３】周波数テーブルの一例を示す図である。
【図４】ＦＭ放送局決定処理における車載受信装置の動作を示すフローチャートである。
【図５】ＡＭ放送局に関する情報と、ＦＭ放送局に関する情報とを表示する画面の一例を示す図である。
【図６】ＡＭ放送局に関する情報と、ＦＭ放送局に関する情報とを表示する画面の一例を示す図である。
【発明を実施するための形態】
【００１６】
図１は、本実施形態に係る車載受信装置１（放送受信装置）の構成を示すブロック図である。
【００１７】
車載受信装置１は、車両に搭載される受信装置であり、ラジオ放送局（放送局）によって放送されたラジオ放送を受信可能に構成される。本実施形態の車載受信装置１は、アナログ方式のアナログ放送波を受信し、アナログ放送に基づくラジオ放送の出力を実行する。より具体的には、車載受信装置１は、アナログ方式のうちＡＭ方式（ＡＭ放送方式）のＡＭ放送波を受信し、ＡＭ放送に基づくラジオ放送（以下、「ＡＭラジオ放送」と表現する）の出力を実行する。また、車載受信装置１は、アナログ方式のうちＦＭ方式（ＦＭ放送方式）のＦＭ放送波を受信し、ＦＭ放送に基づくラジオ放送（以下、「ＦＭラジオ放送」と表現する）の出力を実行する。アナログ放送波には、ラジオ放送に係る音声を示す情報が含まれており、車載受信装置１は、後述するスピーカー１６を介してラジオ放送に係る音声（以下、「ラジオ音声」と表現する）を車内に出力する。すなわち、車載受信装置１は、ＡＭラジオ放送に係るラジオ音声（以下、「ＡＭラジオ音声」と表現する）、又は、ＦＭラジオ放送に係るラジオ音声（以下、「ＦＭラジオ音声」と表現する）を車内に出力する。
【００１８】
図１に示すように、車載受信装置１は、制御部１０と、記憶部１１と、タッチパネル１２（表示部）と、チューナー部１３と、ＤＳＰ（Digital Signal Processor）１４と、パワーアンプ１５と、スピーカー１６とを備える。
【００１９】
制御部１０は、ＣＰＵや、ＲＯＭ、ＲＡＭ、その他の制御回路等を備え、車載受信装置１の各部を制御する。
【００２０】
記憶部１１は、ハードディスクや、ＥＥＰＲＯＭ等の不揮発性メモリを備え、データを書き換え可能に記憶する。記憶部１１は、制御部１０が実行する制御プログラムのほか、周波数テーブル１１１（放送局対応情報）を記憶する。周波数テーブル１１１については、後述する。なお、本実施形態では、周波数テーブル１１１は、記憶部１１に記憶される場合を例示するが、制御部１０のＲＯＭに記憶されてもよい。
【００２１】
タッチパネル１２は、表示パネル１２１と、タッチセンサ１２２とを備える。
【００２２】
表示パネル１２１は、液晶ディスプレイやＥＬ（Electro Luminescent）ディスプレイ等のパネルを有し、制御部１０の制御の下、各種情報を表示する。
【００２３】
タッチセンサ１２２は、表示パネル１２１に重ねて配置され、ユーザーの接触操作を検出し、制御部１０に出力する。接触操作とは、手指の先等の指示体によりタッチパネル１２の所定の位置が接触され行われる操作を示す。具体的には、タッチセンサ１２２は、タッチパネル１２が接触操作された場合に、接触操作された位置を示す信号を制御部１０に出力する。
【００２４】
チューナー部１３は、制御部１０によるＰＬＬ（Phase Locked Loop）回路（不図示）を介した制御の下、アンテナ２が受信したアナログ放送波のうち、ユーザーが選択した周波数のアナログ放送波のＲＦ（Radio Frequency）信号を抽出する。そして、チューナー部１３は、抽出したＲＦ信号をフィルタリング等の信号処理に適した中間周波数に周波数変換する。チューナー部１３は、ＲＦ信号の周波数変換によって得られたＩＦ（Intermediate Frequency）信号を増幅し、ＤＳＰ１４に出力する。
【００２５】
より具体的には、チューナー部１３は、ＡＭチューナー部１３１（第１の放送受信部）と、ＦＭチューナー部１３２（第２の放送受信部）とを備える。
【００２６】
ＡＭチューナー部１３１は、アンテナ２が受信したＡＭ放送波のうち、ユーザーが選択した周波数のＡＭ放送波を受信する。そして、ＡＭチューナー部１３１は、受信した当該ＡＭ放送波のＲＦ信号を抽出し、ＲＦ信号の周波数変換によって得られたＩＦ信号をＤＳＰ１４のＡ／Ｄコンバーター１４１ａに出力する。
ＦＭチューナー部１３２は、アンテナ２が受信したＦＭ放送波のうち、ユーザーが選択した周波数のＦＭ放送波を受信する。ＦＭチューナー部１３２は、受信した当該ＦＭ放送波のＲＦ信号を抽出し、ＲＦ信号の周波数変換によって得られたＩＦ信号をＤＳＰ１４のＡ／Ｄコンバーター１４１ｂに出力する。
このＡＭチューナー部１３１と、ＦＭチューナー部１３２とは、それぞれ独立して対応するアナログ放送波を受信する。
【００２７】
また、チューナー部１３は、受信状態測定部１３３として機能する。受信状態測定部１３３は、ＡＭチューナー部１３１が受信するＡＭ放送波の受信状態と、ＦＭチューナー部１３２が受信するＦＭ放送波の受信状態とを測定する。本実施形態では、受信状態測定部１３３が測定する受信状態は、ＡＭ放送波の場合、電界強度と周波数ズレとであり、ＦＭ放送波の場合、電界強度と高周波ノイズの混入とマルチパスノイズの混入と周波数ズレとである。周波数ズレとは、受信したアナログ放送波の周波数と、受信するよう設定した周波数とのズレである。また、マルチパスノイズとは、マルチパスにより生じたノイズである。なお、受信状態測定部１３３は、所定の方法により、これら受信状態をそれぞれ測定する。受信状態測定部１３３は、測定した受信状態を示す信号を、制御部１０に出力する。
【００２８】
なお、受信状態測定部１３３は、上述した測定に限定されず、例えば、電界強度だけを測定する構成でもよく、さらに多くの受信状態を測定する構成でもよい。
【００２９】
ＤＳＰ１４は、Ａ／Ｄコンバーター１４１ａと、Ａ／Ｄコンバーター１４１ｂと、信号処理部１４２ａと、信号処理部１４２ｂと、切替部１４３と、番組比較部１４４と、Ｄ／Ａコンバーター１４５とを備える。
【００３０】
Ａ／Ｄコンバーター１４１ａは、ＡＭチューナー部１３１から入力されたＩＦ信号を、アナログ信号からデジタル信号に変換する。
【００３１】
Ａ／Ｄコンバーター１４１ｂは、ＦＭチューナー部１３２から入力されたＩＦ信号を、アナログ信号からデジタル信号に変換する。
【００３２】
信号処理部１４２ａは、Ａ／Ｄコンバーター１４１ａから入力されたＩＦ信号を、ＡＭ放送波の搬送波の帯域のＩＦ信号となるように、帯域制限する。次いで、信号処理部１４２ａは、帯域制限されたＩＦ信号を、ＡＭラジオ音声のオーディオ信号（以下、「ＡＭラジオオーディオ信号」と表現する）に復調する。信号処理部１４２ａは、復号したＡＭラジオオーディオ信号を、切替部１４３、及び、番組比較部１４４に入力する。
【００３３】
信号処理部１４２ｂは、Ａ／Ｄコンバーター１４１ｂから入力されたＩＦ信号を、ＦＭ放送波の搬送波の帯域のＩＦ信号となるように、帯域制限する。次いで、信号処理部１４２ｂは、帯域制限されたＩＦ信号を、ＦＭラジオ音声のオーディオ信号（以下、「ＦＭラジオオーディオ信号」と表現する）に復調する。信号処理部１４２ｂは、復号したＦＭラジオオーディオ信号を、切替部１４３、及び、番組比較部１４４に入力する。
【００３４】
切替部１４３は、制御部１０の制御の下、信号処理部１４２ａから入力されるＡＭラジオオーディオ信号のＤ／Ａコンバーター１４５に対する出力と、信号処理部１４２ｂから入力されるＦＭラジオオーディオ信号のＤ／Ａコンバーター１４５に対する出力と、を切り替える。
【００３５】
番組比較部１４４は、受信したＡＭ放送波が含むＡＭラジオ音声が示す番組（以下、「ＡＭ番組」と表現する）（第１の番組）と、受信したＦＭ放送波が含むＦＭラジオ音声が示す番組（以下、「ＦＭ番組」と表現する）（第２の番組）とを比較する。例えば、番組比較部１４４は、ＡＭラジオオーディオ信号とＦＭオーディオ信号とのそれぞれについて音声の特徴点を取得し、取得した特徴点を比較し、特徴点の一致度合を示す信号を制御部１０に出力する。制御部１０は、番組比較部１４４が出力する信号に基づいて、ＡＭ番組と、ＦＭ番組とが同一の内容の番組であるか否かを判別する。例えば、制御部１０は、特徴点の一致度合が所定の閾値を上回る場合に、ＡＭ番組と、ＦＭ番組とが同一の内容の番組であると判別する。
【００３６】
Ｄ／Ａコンバーター１４５は、切替部１４３から入力されたＡＭラジオオーディオ信号、又は、ＦＭラジオオーディオ信号を、デジタル信号からアナログ信号に変換しパワーアンプ１５に出力する。
【００３７】
パワーアンプ１５は、入力されたＡＭラジオオーディオ信号、又は、ＦＭラジオオーディオ信号のレベルを、ユーザーにより指定されたボリュームに応じた増幅率で増幅し、スピーカー１６を介して、ＡＭラジオオーディオ信号に基づくＡＭラジオ音声、又は、ＦＭラジオオーディオ信号に基づくＦＭラジオ音声を放音する。これにより、ユーザーは、ＡＭラジオ音声が示すＡＭ番組、又は、ＦＭラジオ音声が示すＦＭ番組を聴取可能である。
【００３８】
なお、本実施形態では、ＡＭチューナー部１３１がＡＭ放送波を受信することは、ＡＭチューナー部１３１がＡＭ番組を受信することに相当する。また、ＦＭチューナー部１３２がＦＭ放送波を受信することは、ＦＭチューナー部１３２がＦＭ番組を受信することに相当する。
【００３９】
ところで、ある放送局が放送する番組と同じ内容の番組を、異なる放送方式で放送するサイマル放送が知られている。近年、サイマル放送は、ＡＭ放送難聴地域に対する対策として実用されている。ここで、ＡＭ放送難聴地域とは、ＡＭ放送波の受信状態が悪く、ＡＭラジオ放送の聴取が難しい地域であり、例えば、人口の希薄な離島や山間部等の周辺にＡＭラジオ放送を放送する放送局がない地域が挙げられる。Ｖ−ＬＯＷ帯を使用したＦＭ放送によるサイマル放送が実用されることで、ＡＭ放送難聴地域において、ＡＭ番組と同じ内容の番組をＦＭ放送で放送可能となる。そのため、ユーザーは、ＡＭ放送難聴地域であっても、ＦＭ放送波を受信することで、ＡＭ番組と同じ内容の番組を聴取可能となる。
【００４０】
しかしながら、ＦＭ放送を放送する放送局は多数あり、ＦＭ放送によるサイマル放送を放送する放送局を、ユーザーが容易に探し出すことは難しい。また、仮に、ユーザーが当該放送局を探し出しＦＭ放送によるサイマル放送を受信しても、受信状態が悪い場合がある。
【００４１】
そこで、本実施形態の車載受信装置１は、以下に示す動作を実行する。
【００４２】
図２は、車載受信装置１の動作を示すフローチャートである。
【００４３】
車載受信装置１の制御部１０は、ＡＭラジオ放送とＦＭラジオ放送とのいずれかを含むラジオ放送の出力を実行するか否かを判別する（ステップＳＡ１）。例えば、制御部１０は、ラジオ放送の出力の実行を指示する操作をタッチパネル１２等により検出した場合、ラジオ放送の出力を実行すると判別する。
【００４４】
次いで、制御部１０は、ラジオ放送の出力を実行すると判別した場合（ステップＳＡ１：ＹＥＳ）、ユーザーがＡＭラジオ放送を放送する放送局（以下、「ＡＭ放送局」と表現する）（第１の放送局）を選択したか否かを判別する（ステップＳＡ２）。例えば、制御部１０は、タッチパネル１２に、受信可能なＡＭ放送局を示す情報を表示し、ユーザーのＡＭ放送局を示す情報に対する接触操作に基づいて、ＡＭ放送局の選択の有無を判別する。
【００４５】
次いで、制御部１０は、ユーザーがＡＭ放送局を選択したと判別した場合（ステップＳＡ２：ＹＥＳ）、ユーザーが選択したＡＭ放送局を示す周波数を、ＡＭチューナー部１３１が受信するＡＭ放送波の周波数として設定する（ステップＳＡ３）。
【００４６】
次いで、制御部１０は、記憶部１１が記憶する周波数テーブル１１１を参照しユーザーが選択したＡＭ放送局と、サイマル関係にある、ＦＭラジオ放送を放送する放送局（以下、「ＦＭ放送局」と表現する）（第２の放送局）があるか否かを判別する（ステップＳＡ４）。ここで、ＡＭ放送局とサイマル関係にあるＦＭ放送局とは、ＡＭ放送局が放送するＡＭ番組と同じ内容の番組を放送可能なＦＭ放送局を示す。
【００４７】
図３は、周波数テーブル１１１の一例を示す図である。
【００４８】
図３に示すように、周波数テーブル１１１が格納する１件のレコードには、ＡＭ放送局の名称を示す情報を格納するフィールドである放送局名称フィールドＦ１と、ＡＭ放送局の周波数を示す情報を格納するフィールドであるＡＭ放送局周波数フィールドＦ２と、ＡＭ放送局とサイマル関係にあるＦＭ放送局の周波数を示す情報を格納するフィールドであるＦＭ放送局周波数フィールドＦ３とが対応付く。
【００４９】
図３に示すように、周波数テーブル１１１が格納するレコードＲ１は、放送局名称フィールドＦ１に「ＡＡＡ放送」を示す情報を格納し、ＡＭ放送局周波数フィールドＦ２に「ＡＡＡ  ｋＨｚ」を示す情報を格納し、ＦＭ放送局周波数フィールドＦ３に「ＡＡ．Ａ  ＭＨｚ」を示す情報を格納する。このレコードＲ１は、「ＡＡＡ放送」を示す名称のＡＭ放送局と、「ＡＡ．Ａ  ＭＨｚ」の周波数を示すＦＭ放送局とがサイマル関係にあることを示している。
【００５０】
また、図３に示すように、周波数テーブル１１１が格納するレコードＲ２は、放送局名称フィールドＦ１に「ＢＢＢ放送」を示す情報を格納し、ＡＭ放送局周波数フィールドＦ２に「ＢＢＢ  ｋＨｚ」を示す情報を格納し、ＦＭ放送局周波数フィールドＦ３に「ＢＢ．Ａ  ＭＨｚ」を示す情報と「ＢＢ．Ｂ  ＭＨｚ」を示す情報とを格納する。このレコードＲ２は、「ＢＢＢ放送」を示す名称のＡＭ放送局と、「ＢＢ．Ａ  ＭＨｚ」の周波数を示すＦＭ放送局とがサイマル関係にあり、また、「ＢＢＢ放送」を示す名称のＡＭ放送局と、「ＢＢ．Ｂ  ＭＨｚ」の周波数を示すＦＭ放送局とがサイマル関係にあることを示している。つまり、レコードＲ２は、「ＢＢＢ放送」を示す名称のＡＭ放送局に対しサイマル関係のあるＦＭ放送局が２つあることを示している。なお、レコードＲ２のうち、ＦＭ放送局周波数フィールドＦ３に「ＢＢ．Ａ  ＭＨｚ」を示す情報を格納するレコードをレコードＲ２Ａとする。また、レコードＲ２のうち、ＦＭ放送局周波数フィールドＦ３に「ＢＢ．Ｂ  ＭＨｚ」を示す情報を格納するレコードをレコードＲ２Ｂとする。
【００５１】
また、図３に示すように、周波数テーブル１１１が格納するレコードＲ３は、放送局名称フィールドＦ１に「ＣＣＣ放送」を示す情報を格納し、ＡＭ放送局周波数フィールドＦ２に「ＣＣＣ  ｋＨｚ」を示す情報を格納する。また、レコードＲ３は、ＦＭ放送局周波数フィールドＦ３にＦＭ放送局の周波数を示す情報を格納しない。図３では、「−」を、情報を格納しないこと示しており、レコードＲ３では、ＦＭ放送局周波数フィールドＦ３にＦＭ放送局の周波数を示す情報を格納しないこと示している。このレコードＲ３は、「ＣＣＣ放送」を示す名称のＡＭ放送局に対しサイマル関係にあるＦＭ放送局がないことを示している。
【００５２】
また、図３に示すように、周波数テーブル１１１が格納するレコードＲ４は、放送局名称フィールドＦ１に「ＤＤＤ放送」を示す情報を格納し、ＡＭ放送局周波数フィールドＦ２に「ＤＤＤ  ｋＨｚ」を示す情報を格納し、ＦＭ放送局周波数フィールドＦ３に「ＤＤ．Ｄ  ＭＨｚ」を示す情報を格納する。このレコードＲ４は、「ＤＤＤ放送」を示す名称のＡＭ放送局と、「ＤＤ．Ｄ  ＭＨｚ」の周波数を示すＦＭ放送局とがサイマル関係にあることを示している。
【００５３】
また、図３に示すように、周波数テーブル１１１が格納するレコードＲ５は、放送局名称フィールドＦ１に「ＥＥＥ放送」を示す情報を格納し、ＡＭ放送局周波数フィールドＦ２に「ＥＥＥ  ｋＨｚ」を示す情報を格納し、ＦＭ放送局周波数フィールドＦ３に「ＥＥ．Ｅ  ＭＨｚ」を示す情報を格納する。このレコードＲ５は、「ＥＥＥ放送」を示す名称のＡＭ放送局と、「ＥＥ．Ｅ  ＭＨｚ」の周波数を示すＦＭ放送局とがサイマル関係にあることを示している。
【００５４】
また、図３に示すように、周波数テーブル１１１が格納するレコードＲ６は、放送局名称フィールドＦ１に「ＦＦＦ放送」を示す情報を格納し、ＡＭ放送局周波数フィールドＦ２に「ＦＦＦ  ｋＨｚ」を示す情報を格納し、ＦＭ放送局周波数フィールドＦ３に「ＦＦ．Ａ  ＭＨｚ」を示す情報と「ＦＦ．Ｂ  ＭＨｚ」を示す情報とを格納する。このレコードＲ６は、「ＦＦＦ放送」を示す名称のＡＭ放送局と、「ＦＦ．Ａ  ＭＨｚ」の周波数を示すＦＭ放送局とがサイマル関係にあり、また、「ＦＦＦ放送」を示す名称のＡＭ放送局と、「ＦＦ．Ｂ  ＭＨｚ」の周波数を示すＦＭ放送局とがサイマル関係にあることを示している。なお、レコードＲ６のうち、ＦＭ放送局周波数フィールドＦ３に「ＦＦ．Ａ  ＭＨｚ」を示す情報を格納するレコードをレコードＲ６Ａとする。また、レコードＲ６うち、ＦＭ放送局周波数フィールドＦ３に「ＦＦ．Ｂ  ＭＨｚ」を示す情報を格納するレコードをレコードＲ６Ｂとする。
【００５５】
また、図３に示すように、周波数テーブル１１１が格納するレコードＲ７は、放送局名称フィールドＦ１に「ＧＧＧ放送」を示す情報を格納し、ＡＭ放送局周波数フィールドＦ２に「ＧＧＧ  ｋＨｚ」を示す情報を格納しており、ＦＭ放送局周波数フィールドＦ３にＦＭ放送局の周波数を示す情報を格納していない。このレコードＲ７は、「ＧＧＧ放送」を示す名称のＡＭ放送局に対しサイマル関係にあるＦＭ放送局がないことを示している。
【００５６】
また、図３に示すように、周波数テーブル１１１が格納するレコードＲ８は、放送局名称フィールドＦ１に「ＨＨＨ放送」を示す情報を格納し、ＡＭ放送局周波数フィールドＦ２に「ＨＨＨ  ｋＨｚ」を示す情報を格納しており、ＦＭ放送局周波数フィールドＦ３にＦＭ放送局の周波数を示す情報を格納していない。このレコードＲ８は、「ＨＨＨ放送」を示す名称のＡＭ放送局に対しサイマル関係にあるＦＭ放送局がないことを示している。
【００５７】
なお、周波数テーブル１１１は、予め行われた調査等に基づいて、各フィールドに対応する情報が格納される。
【００５８】
図２に示すフローチャートのステップＳＡ４の説明に戻り、前述した通り、制御部１０は、周波数テーブル１１１を参照し、ユーザーが選択したＡＭ放送局が、サイマル関係にあるＦＭ放送局を有するか否かを判別する。
【００５９】
詳述すると、制御部１０は、周波数テーブル１１１を参照し、ステップＳＡ３で設定した周波数を示す情報をＡＭ放送局周波数フィールドＦ２に格納するレコードを特定する。次いで、制御部１０は、特定したレコードのＦＭ放送局周波数フィールドＦ３がＦＭ放送局を示す情報を格納するか否かを判別する。制御部１０は、特定したレコードのＦＭ放送局周波数フィールドＦ３が、ＦＭ放送局を示す情報を格納すると判別した場合、ユーザーが選択したＡＭ放送局が、サイマル関係にあるＦＭ放送局を有すると判別する。一方、制御部１０は、特定したレコードのＦＭ放送局周波数フィールドＦ３がＦＭ放送局を示す情報を格納しないと判別した場合、ユーザーが選択したＡＭ放送局が、サイマル関係にあるＦＭ放送局を有さないと判別する。
【００６０】
例えば、ユーザーが、「ＡＡＡ  ｋＨｚ」の周波数を示すＡＭ放送局を選択したとする。この場合、制御部１０は、周波数テーブル１１１を参照し、「ＡＡＡ  ｋＨｚ」の周波数を示す情報をＡＭ放送局周波数フィールドＦ２に格納するレコードＲ１を特定する。そして、制御部１０は、特定したレコードＲ１のＦＭ放送局周波数フィールドＦ３にＦＭ放送局の周波数を示す情報を格納するか判別する。図３に示すようにレコードＲ３のＦＭ放送局周波数フィールドＦ３には「ＡＡ．Ａ  ＭＨｚ」を示す情報が格納されているため、制御部１０は、ユーザーが選択した「ＡＡＡ  ｋＨｚ」の周波数を示すＡＭ放送局が、サイマル関係にあるＦＭ放送局を有すると判別する。
【００６１】
また、例えば、ユーザーが、「ＣＣＣ  ｋＨｚ」の周波数を示すＡＭ放送局を選択したとする。この場合、制御部１０は、周波数テーブル１１１を参照し、「ＣＣＣ  ｋＨｚ」の周波数を示す情報をＡＭ放送局周波数フィールドＦ２に格納するレコードＲ３を特定する。そして、制御部１０は、特定したレコードＲ３のＦＭ放送局周波数フィールドＦ３にＦＭ放送局の周波数を示す情報を格納するか判別する。図３に示すようにレコードＲ３のＦＭ放送局周波数フィールドＦ３にはＦＭ放送局の周波数を示す情報が格納されていないため、制御部１０は、ユーザーが選択した「ＣＣＣ  ｋＨｚ」の周波数を示すＡＭ放送局が、サイマル関係にあるＦＭ放送局を有さないと判別する。
【００６２】
ステップＳＡ４において、制御部１０は、ユーザーが選択したＡＭ放送局が、サイマル関係にあるＦＭ放送局を有すると判別した場合（ステップＳＡ４：ＹＥＳ）、ＦＭ放送局決定処理を実行する(ステップＳＡ５)。
【００６３】
ＦＭ放送局決定処理とは、ユーザーが選択したＡＭ放送局とサイマル関係にあるＦＭ放送局のうち、最も受信状態の良いＦＭ放送局を決定する処理である。受信状態が良いとは、例えば、アナログ放送波の電界強度が高く、ノイズ等の混入が少なく、周波数ズレが少ないアナログ放送波を受信する状態である。
【００６４】
図４は、ＦＭ放送局決定処理における車載受信装置１の動作を示すフローチャートである。
【００６５】
制御部１０は、周波数テーブル１１１を参照し、ユーザーが選択するＡＭ放送局とサイマル関係にあるＦＭ放送局の周波数を、ＦＭチューナー部１３２が受信するＦＭ放送波の周波数として設定する（ステップＳＢ１）。より具体的には、制御部１０は、周波数テーブル１１１を参照し、ユーザーが選択するＡＭ放送局の周波数を示す情報を格納するレコードにおいて、ＦＭ放送局周波数フィールドＦ３が格納する情報が示すＦＭ放送局の周波数を、ＦＭチューナー部１３２が受信するＦＭ放送波の周波数として設定する。
【００６６】
例えば、ユーザーが、「ＡＡＡ  ｋＨｚ」の周波数を示すＡＭ放送局を選択したとする。この場合、制御部１０は、周波数テーブル１１１を参照し、「ＡＡＡ  ｋＨｚ」の周波数を示す情報を格納するレコードＲ１のＦＭ放送局周波数フィールドＦ３が格納する「ＡＡ．Ａ  ＭＨｚ」を、ＦＭチューナー部１３２が受信するＦＭ放送波の周波数として設定する。
【００６７】
また、例えば、ユーザーが、「ＢＢＢ  ｋＨｚ」の周波数を示すＡＭ放送局を選択したとする。図３に示すように、「ＢＢＢ  ｋＨｚ」の周波数を示す情報を格納するレコードＲ２は、ＦＭ放送局周波数フィールドに、「ＢＢ．Ａ  ＭＨｚ」を示す情報と、「ＢＢ．Ｂ  ＭＨｚ」を示す情報とを格納する、すなわち、ＦＭ放送局の周波数を示す情報を複数格納する。このように、ＦＭ放送局の周波数を示す情報が複数ある場合、制御部１０は、レコードの格納順に準じて、ＦＭチューナー部１３２が受信するＦＭ放送波の周波数を設定する。したがって、ユーザーが、「ＢＢＢ  ｋＨｚ」の周波数を示すＡＭ放送局を選択した場合、ステップＳＢ１における処理がレコードＲ２に対する初回の処理である場合、制御部１０は、レコードＲ２ＡとレコードＲ２Ｂとのうち、レコードＲ２Ａが格納する「ＢＢ．Ａ  ＭＨｚ」の周波数を、ＦＭチューナー部１３２が受信するＦＭ放送波の周波数として設定する。また、ステップＳＢ１における処理がレコードＲ２に対する二回目の処理である場合、制御部１０は、レコードＲ２ＡとレコードＲ２Ｂとのうち、レコードＲ２Ｂが格納する「ＢＢ．Ｂ  ＭＨｚ」の周波数を、ＦＭチューナー部１３２が受信するＦＭ放送波の周波数として設定する。
【００６８】
次いで、制御部１０は、チューナー部１３の受信状態測定部１３３を制御し、ＦＭチューナー部１３２が受信するＦＭ放送波の受信状態を測定する（ステップＳＢ２）。例えば、ＦＭチューナー部１３２が受信するＦＭ放送波の周波数として「ＡＡ．Ａ  ＭＨｚ」が設定されている場合、制御部１０は、受信状態測定部１３３により、「ＡＡ．Ａ  ＭＨｚ」の周波数を示すＦＭ放送局が放送するＦＭ放送波の受信状態を測定する。
【００６９】
次いで、制御部１０は、周波数テーブル１１１を参照し、ユーザーが選択したＡＭ放送局とサイマル関係にあるＦＭ放送局の全てについて、受信状態を測定したか否かを判別する（ステップＳＢ３）。
【００７０】
例えば、ユーザーが、「ＡＡＡ  ｋＨｚ」の周波数を示すＡＭ放送局を選択したとする。この場合、「ＡＡＡ  ｋＨｚ」の周波数を示す情報を格納するレコードＲ１のＦＭ放送局周波数フィールドＦ３が格納する情報は、１つである。そのため、制御部１０は、ステップＳＢ２において、「ＡＡ．Ａ  ＭＨｚ」の周波数を示すＦＭ放送局が放送するＦＭ放送波の受信状態を測定した場合、ステップＳＢ３において、ユーザーが選択したＡＭ放送局とサイマル関係にあるＦＭ放送局の全てについて、受信状態を測定したと判別する（ステップＳＢ３：ＹＥＳ）。
【００７１】
また、例えば、ユーザーが、「ＢＢＢ  ｋＨｚ」の周波数を示すＡＭ放送局を選択したとする。この場合、「ＢＢＢ  ｋＨｚ」の周波数を示す情報を格納するレコードＲ２のＦＭ放送局周波数フィールドＦ３が格納する情報は、２つである。そのため、制御部１０は、ステップＳＢ２において、「ＢＢ．Ａ  ＭＨｚ」の周波数を示すＦＭ放送局が放送するＦＭ放送波の受信状態を測定した場合、ステップＳＢ３において、ユーザーが選択したＡＭ放送局とサイマル関係にあるＦＭ放送局の全てについて、受信状態を測定していないと判別する（ステップＳＢ３：ＮＯ）。制御部１０は、ユーザーが選択したＡＭ放送局とサイマル関係にあるＦＭ放送局の全てについて、受信状態を測定していないと判別する（ステップＳＢ３：ＮＯ）と、処理をステップＳＢ１に戻し、「ＢＢ．Ｂ  ＭＨｚ」の周波数を示すＦＭ放送局が放送するＦＭ放送波の受信状態を測定する。
【００７２】
制御部１０は、ステップＳＢ３において、周波数テーブル１１１を参照し、ユーザーが選択したＡＭ放送局とサイマル関係にあるＦＭ放送局の全てについて、受信状態を測定したと判別した場合（ステップＳＢ３：ＹＥＳ）、測定した受信状態に基づいて、最も受信状態が良いＦＭ放送局を決定する（ステップＳＢ４）。
【００７３】
ここで、制御部１０は、例えば、以下に示す処理を実行し、最も受信状態の良いＦＭ放送局を決定する。前述した通り、本実施形態では、受信状態測定部１３３が測定する受信状態は、ＦＭ放送波である場合、電界強度、高周波ノイズの混入、マルチパスノイズの混入、及び、周波数ズレである。制御部１０は、受信状態測定部１３３が測定したこれら受信状態に基づき、総合的なＦＭ放送波の受信状態を示す値を算出する。この値は、例えば、高い値であればあるほど、総合的にＦＭ放送波の受信状態が良い値であって、低い値であればあるほど、総合的にＦＭ放送波の受信状態が悪い値である。制御部１０は、この算出した値に基づいて、最も受信状態の良いＦＭ放送局を決定する。
【００７４】
例えば、ユーザーが、「ＡＡＡ  ｋＨｚ」の周波数を示すＡＭ放送局を選択したとする。この場合、「ＡＡＡ  ｋＨｚ」の周波数を示す情報を格納するレコードＲ１のＦＭ放送局周波数フィールドＦ３が格納する情報は、１つである。そのため、制御部１０は、ステップＳＢ４において、「ＡＡ．Ａ  ＭＨｚ」の周波数を示すＦＭ放送局を、最も受信状態が良いＦＭ放送局として決定する。
【００７５】
また、例えば、ユーザーが、「ＢＢＢ  ｋＨｚ」の周波数を示すＡＭ放送局を選択したとする。この場合、「ＢＢＢ  ｋＨｚ」の周波数を示す情報を格納するレコードＲ２のＦＭ放送局周波数フィールドＦ３が格納する情報は、２つである。そのため、「ＢＢ．Ａ  ＭＨｚ」の周波数を示すＦＭ放送局と、「ＢＢ．Ｂ  ＭＨｚ」の周波数を示すＦＭ放送局とのそれぞれについてステップＳＢ２において測定した受信状態に基づき、受信状態の良い方のＦＭ放送局を、最も受信状態が良いＦＭ放送局として決定する。すなわち、制御部１０は、総合的なＦＭ放送局の受信状態を示す値を、「ＢＢ．Ａ  ＭＨｚ」の周波数を示すＦＭ放送局と、「ＢＢ．Ｂ  ＭＨｚ」の周波数を示すＦＭ放送局とのそれぞれについて算出し、値が高い方を、最も受信状態が良いＦＭ放送局として決定する。
【００７６】
このように、ＦＭ放送局決定処理において、制御部１０は、ユーザーが選択したＡＭ放送局とサイマル関係にあるＦＭ放送局のうち、最も受信状態の良いＦＭ放送局を決定する。
【００７７】
図２に示すフローチャートの説明に戻り、制御部１０は、ＦＭ放送局決定処理を実行すると、ユーザーが選択したＡＭ放送局が放送するＡＭ放送波の受信状態と、ＦＭ放送局決定処理で決定したＦＭ放送局が放送するＦＭ放送波の受信状態とを、受信状態測定部１３３により測定する（ステップＳＡ６）。
【００７８】
次いで、制御部１０は、測定した受信状態に基づいて、ユーザーが選択したＡＭ放送局が放送するＡＭ放送波の受信状態と、ＦＭ放送局決定処理で決定したＦＭ放送局が放送するＦＭ放送波の受信状態とのそれぞれについて、受信状態が「高」、「中」、及び、「低」のいずれかであるかを判別する（ステップＳＡ７）。
【００７９】
ここで、ステップＳＡ７について詳述する。
【００８０】
制御部１０は、ステップＳＡ７の処理において、２つの閾値を用いて、ユーザーが選択したＡＭ放送局が放送するＡＭ放送波の受信状態と、ＦＭ放送局決定処理で決定したＦＭ放送局が放送するＦＭ放送波の受信状態とのそれぞれについて、受信状態が「高」、「中」、及び、「低」のいずれかであるかを判別する。この２つの閾値は、予め、記憶部１１等により記憶される。
【００８１】
ここで、制御部１０は、受信状態測定部１３３から入力された信号に基づいて、総合的なＡＭ放送波の受信状態を示す値を算出し、また、総合的なＦＭ放送波の受信状態を示す値を算出する。そして、制御部１０は、この算出した値のそれぞれに対し、記憶部１１が記憶する閾値との比較を実行する。
【００８２】
例えば、記憶部１１は、閾値Ａ、及び、閾値Ｂを記憶するものとする。また、閾値Ａは、閾値Ｂより大きい値とする。制御部１０は、算出した、総合的なＦＭ放送波の受信状態を示す値が、閾値Ａ以上であると判別した場合、ＦＭ放送波の受信状態が「高」であると判別する。また、制御部１０は、算出した総合的なＦＭ放送波の受信状態を示す値が、閾値Ａより小さく閾値Ｂ以上であると判別した場合、ＦＭ放送波の受信状態が「中」であると判別する。また、制御部１０は、算出した総合的なＦＭ放送波の受信状態を示す値が、閾値Ｂより小さいと判別した場合、ＦＭ放送波の受信状態を「低」であると判別する。制御部１０は、ＡＭ放送波についても同様に判別する。
【００８３】
ステップＳＡ７の説明に戻り、制御部１０は、受信状態が「高」であると判別した場合（ステップＳＡ７：「高」）、後述するアイコンの色が「青」となるように設定する（ステップＳＡ８）。また、制御部１０は、受信状態が「中」であると判別した場合(ステップＳＡ７：「中」)、後述するアイコンの色が「黄」となるように設定する(ステップＳＡ９)。また、制御部１０は、受信状態が「低」であると判別した場合(ステップＳＡ７：「低」)、後述するアイコンの色が「赤」となるように設定する(ステップＳＡ１０)。
【００８４】
より具体的には、制御部１０は、ユーザーが選択するＡＭ放送局が放送するＡＭ放送波の受信状態が「高」であると判別した場合、ＡＭ放送局に関する情報を示すアイコン（後述）の色を「青」に設定し、受信状態が「中」であると判別した場合、当該アイコンの色を「黄」に設定し、受信状態が「低」であると判別した場合、当該アイコンの色を「赤」に設定する。また、制御部１０は、ＦＭ放送局決定処理で決定したＦＭ放送局が放送するＦＭ放送波の受信状態が「高」であると判別した場合、ＦＭ放送局に関する情報を示すアイコン（後述）の色を「青」に設定し、受信状態が「中」であると判別した場合、当該アイコンの色を「黄」に設定し、受信状態が「低」であると判別した場合、当該アイコンの色を「赤」に設定する。
【００８５】
次いで、制御部１０は、後述するアイコンの色を設定すると、ＡＭ放送局に関する情報を示すアイコンと、ＦＭ放送局に関する情報を示すアイコンとの両方の色の設定が終了したか否かを判別する（ステップＳＡ１１）。
【００８６】
次いで、制御部１０は、ＡＭ放送局を示すアイコンと、ＦＭ放送局を示すアイコンとの両方の色の設定が終了したと判別した場合（ステップＳＡ１１：ＹＥＳ）、ＤＳＰ１４の番組比較部１４４により、ユーザーが選択したＡＭ放送局が放送するＡＭ番組の内容と、ＦＭ放送局決定処理により決定したＦＭ放送局が放送するＦＭ番組の内容とを比較する（ステップＳＡ１２）。
【００８７】
制御部１０は、番組比較部１４４から出力される信号に基づいて、ユーザーが選択したＡＭ放送局が放送するＡＭ番組の内容と、ＦＭ放送局決定処理により決定したＦＭ放送局が放送するＦＭ番組の内容とが同じ内容であるか否かを判別する（ステップＳＡ１３）。
【００８８】
制御部１０は、ユーザーが選択したＡＭ放送局が放送するＡＭ番組の内容と、ＦＭ放送局決定処理により決定したＦＭ放送局が放送するＦＭ番組の内容とが同じ内容でないと判別した場合（ステップＳＡ１３：ＮＯ）、ＦＭ放送局決定処理で決定したＦＭ放送局に関する情報を示すアイコンの色を「灰」に設定する（ステップＳＡ１４）。制御部１０は、ＦＭ放送局決定処理で決定したＦＭ放送局に関する情報を示すアイコンの色を「灰」に設定すると、周波数テーブル１１１に基づいて、ＡＭ放送局に関する情報と、ＦＭ放送局に関する情報との表示を実行する（ステップＳＡ１５）。また、制御部１０は、ユーザーが選択したＡＭ放送局が放送するＡＭ番組の内容と、ＦＭ放送局決定処理により決定したＦＭ放送局が放送するＦＭ番組の内容とが同じ内容であると判別した場合（ステップＳＡ１３：ＹＥＳ）、周波数テーブル１１１に基づいて、ＡＭ放送局に関する情報と、ＦＭ放送局に関する情報との表示を実行する（ステップＳＡ１５）。
【００８９】
図５は、ＡＭ放送局に関する情報と、ＦＭ放送局に関する情報とを表示する画面の一例を示す図である。
【００９０】
図５に示すように、制御部１０は、画面１００に、ＡＭ放送局の名称を示す情報と、ＡＭ放送局に関する情報としてＡＭ放送局の周波数を示す情報と、ＦＭ放送局に関する情報としてＦＭ放送局の周波数を示す情報とを表示する。
【００９１】
図５の例では、制御部１０は、画面１００に、ＡＭ放送局の名称を示す情報として、「ＡＡＡ放送」の名称を示す文字列ＭＪ１と、「ＢＢＢ放送」の名称を示す文字列ＭＪ２と、「ＣＣＣ放送」の名称を示す文字列ＭＪ３と、「ＤＤＤ放送」の名称を示す文字列ＭＪ４と、「ＥＥＥ放送」の名称を示す文字列ＭＪ５と、「ＦＦＦ放送」の名称を示す文字列ＭＪ６と、「ＧＧＧ放送」の名称を示す文字列ＭＪ７と、「ＨＨＨ放送」の名称を示す文字列ＭＪ８とを表示する。制御部１０は、これら文字列を表示する際、周波数テーブル１１１を参照し、周波数テーブル１１１の放送局名称フィールドＦ１が格納するＡＭ放送局の名称の全てを表示する。
【００９２】
また、図５の例では、制御部１０は、画面１００に、ＡＭ放送局の周波数を示す情報として、アイコンＩ１〜アイコンＩ８を表示する。アイコンＩ１は、「ＡＡＡ放送」の名称のＡＭ放送局の周波数である「ＡＡＡ  ｋＨｚ」を示す。また、アイコンＩ２は、「ＢＢＢ放送」の名称のＡＭ放送局の周波数である「ＢＢＢ  ｋＨｚ」を示す。また、アイコンＩ３は、「ＣＣＣ放送」の名称のＡＭ放送局の周波数である「ＣＣＣ  ｋＨｚ」を示す。また、アイコンＩ４は、「ＤＤＤ放送」の名称のＡＭ放送局の周波数である「ＤＤＤ  ｋＨｚ」を示す。また、アイコンＩ５は、「ＥＥＥ放送」の名称のＡＭ放送局の周波数である「ＥＥＥ  ｋＨｚ」を示す。また、アイコンＩ６は、「ＦＦＦ放送」の名称のＡＭ放送局の周波数である「ＦＦＦ  ｋＨｚ」を示す。また、アイコンＩ７は、「ＧＧＧ放送」の名称のＡＭ放送局の周波数である「ＧＧＧ  ｋＨｚ」を示す。また、アイコンＩ８は、「ＨＨＨ放送」の名称のＡＭ放送局の周波数である「ＨＨＨ  ｋＨｚ」を示す。制御部１０は、これらアイコンを表示する際、周波数テーブル１１１を参照し、周波数テーブル１１１のＡＭ放送局周波数フィールドＦ２が格納するＡＭ放送局の周波数の全てを表示する。これらアイコンは、ユーザーがタッチパネル１２に対する接触操作により選択するボタンとして押下可能なアイコンである。
【００９３】
また、図５の例では、制御部１０は、画面１００に、ＦＭ放送局の周波数を示す情報として、アイコンＩＡ、アイコンＩＢ、アイコンＩＤ、アイコンＩＥ、及び、アイコンＩＦを表示する。アイコンＩＡは、「ＡＡＡ放送」の名称のＡＭ放送局とサイマル関係にあるＦＭ放送局の周波数である「ＡＡ．Ａ  ＭＨｚ」を示す。また、アイコンＩＢは、「ＢＢＢ放送」の名称のＡＭ放送局とサイマル関係にあるＦＭ放送局の周波数である「ＢＢ．Ａ  ＭＨｚ」を示す。また、アイコンＩＤは、「ＤＤＤ放送」の名称のＡＭ放送局とサイマル関係にあるＦＭ放送局の周波数である「ＤＤ．Ｄ  ＭＨｚ」を示す。また、アイコンＩＥは、「ＥＥＥ放送」の名称のＡＭ放送局とサイマル関係にあるＦＭ放送局の周波数である「ＥＥ．Ｅ  ＭＨｚ」を示す。また、アイコンＩＦは、「ＦＦＦ放送」の名称のＡＭ放送局とサイマル関係にあるＦＭ放送局の周波数である「ＦＦ．Ｆ  ＭＨｚ」を示す。これらアイコンは、ユーザーがタッチパネル１２に対する接触操作により選択するボタンとして押下可能なアイコンである。
【００９４】
制御部１０は、ＦＭ放送局の周波数を示す情報としてのアイコンを表示する際、周波数テーブル１１１に基づいて表示する。
【００９５】
より具体的には、制御部１０は、周波数テーブル１１１が格納するレコードのＦＭ放送局周波数フィールドＦ３に、ＦＭ放送局の周波数を示す情報を１つ格納する場合、当該１のＦＭ放送局の周波数を示す情報としてのアイコンを表示する。図３に示すように、レコードＲ１、レコードＲ４、及び、レコードＲ５のそれぞれは、ＦＭ放送局周波数フィールドＦ３にＦＭ放送局の周波数を示す情報を１つ格納する。そのため、図５に示すように、制御部１０は、「ＡＡＡ放送」の名称を示すＡＭ放送局について、「ＡＡ．Ａ  ＭＨｚ」の周波数を示すアイコンＩＡを表示する。また、制御部１０は、「ＤＤＤ放送」の名称を示すＡＭ放送局について、「ＤＤ．Ｄ  ＭＨｚ」の周波数を示すアイコンＩＤを表示する。また、制御部１０は、「ＥＥＥ放送」の名称を示すＡＭ放送局について、「ＥＥ．Ｅ  ＭＨｚ」の周波数を示すアイコンＩＥを表示する。
【００９６】
また、制御部１０は、レコードのＦＭ放送局周波数フィールドＦ３に、ＦＭ放送局の周波数を示す情報を複数格納する場合に、ユーザーが選択したＡＭ放送局の周波数を示す情報を格納するレコードである場合、ＦＭ放送局決定処理で決定したＦＭ放送局の周波数を示す情報をアイコンで表示し、ユーザーが選択していないＡＭ放送局の周波数を示す情報を格納するレコードである場合、複数あるうちのいずれかのＦＭ放送局の周波数を示す情報を、アイコンで表示する。
【００９７】
例えば、図５の例では、ユーザーが「ＡＡＡ放送」の名称のＡＭ放送局を選択した場合における画面１００の表示を示している。前述した通り、レコードＲ２と、レコードＲ６とは、ＦＭ放送局周波数フィールドＦ３に複数のＦＭ放送局の周波数を示す情報を格納する。この場合のユーザーが選択したＡＭ放送局の周波数を示す情報を格納するレコードは、レコードＲ１である。そのため、制御部１０は、レコードＲ２について、ＦＭ放送局の周波数を示す情報としてのアイコンを表示する際、レコードＲ２ＡとレコードＲ２Ｂとのいずれかのレコードに基づくアイコンを表示する。また、制御部１０は、レコードＲ６について、ＦＭ放送局の周波数を示す情報としてのアイコンを表示する際、レコードＲ６ＡとレコードＲ６Ｂとのいずれかのレコードに基づくアイコンを表示する。ユーザーが選択していない場合、表示するアイコンが基づくレコードは、レコードの格納順において最初に格納されたレコードでもよく、前回ユーザーに選択された際に表示したアイコンに基づくレコードでもよい。なお、ユーザーが選択したＡＭ放送局の周波数を示す情報を格納するレコードが、ＦＭ放送局の周波数を示す情報を複数格納する場合のアイコンの表示については、後述する。
【００９８】
また、制御部１０は、レコードのＦＭ放送局周波数フィールドに放送局の周波数を示す情報を格納しない場合、ＦＭ放送局に関する情報を示すアイコンを表示しない。図３に示す通り、レコードＲ３、レコードＲ７、及び、レコードＲ８は、ＦＭ放送局周波数フィールドにＦＭ放送局の周波数を示す情報を格納しない。そのため、図５に示すように、制御部１０は、「ＣＣＣ放送」の名称を示すＦＭ放送局、「ＧＧＧ放送」の名称を示すＦＭ放送局、「ＨＨＨ放送」の名称を示すＦＭ放送局については、ＦＭ放送局の周波数を示す情報としてのアイコンを表示しない。このように、制御部１０は、受信可能なＡＭ放送局に対し、サイマル関係にあるＦＭ放送局がない場合、ＦＭ放送局を示すアイコンを表示しない。そのため、制御部１０は、受信可能なＡＭ放送局に対し、サイマル関係にあるＦＭ放送局がないことをユーザーに提示できる。
【００９９】
なお、受信可能なＡＭ放送局に対し、サイマル関係にあるＦＭ放送局がないことを示す表示の態様は、上述したようにアイコンを表示しない態様に限定されない。例えば、「サイマル関係にあるＦＭ放送局がありません」の文字列を示すアイコンを表示してもよく、サイマル関係にあるＦＭ放送局がないこと示す表示の態様であればよい。この場合でも、上述した効果を奏する。
【０１００】
なお、図５では、アイコンＩ１〜アイコンＩ８、アイコンＩＡ、アイコンＩＢ、アイコンＩＤ、アイコンＩＥ、及び、アイコンＩＦのそれぞれは、放送局の周波数を示すアイコンでなく、放送局の名称を示すアイコンでもよい。
【０１０１】
図５に示すように、制御部１０は、ステップＳＡ１５において、受信可能なＡＭ放送局のそれぞれについて、ＡＭ放送局の名称を示す文字列と、ＡＭ放送局の周波数を示す情報としてのアイコンと、サイマル関係にあるＦＭ放送局の周波数を示す情報としてのアイコンと、を表示する。すなわち、制御部１０は、ＡＭ放送局に対しサイマル関係にＦＭ放送局が有る場合、ＡＭ放送局の名称と、周波数の組とを同時に表示する。これにより、制御部１０は、多数あるＦＭ放送局の中から、どのＦＭ放送局が、どのＡＭ放送局とサイマル関係にあるかをユーザーに提示できる。そのため、ユーザーは、容易にサイマル関係にあるＦＭ放送局を探し出すことができる。
【０１０２】
前述したように、図５の例では、ユーザーが「ＡＡＡ放送」の名称のＡＭ放送局を選択した場合における表示を示している。
【０１０３】
ここで、制御部１０は、図５に示すように、アイコンＩ１〜アイコンＩ８、アイコンＩＡ、アイコンＩＢ、アイコンＩＤ、アイコンＩＥ、及び、アイコンＩＦのうち、「ＡＡＡ放送」の名称のＡＭ放送局に係るアイコンＩ１及びアイコンＩＡの色を、ステップＳＡ７〜ステップＳＡ１０で設定した色で表示しているものとする。
【０１０４】
例えば、ユーザーが選択するＡＭ放送局が放送するＡＭ放送波の受信状態が「高」であると判別し、ＦＭ放送局決定処理で決定したＦＭ放送局が放送するＦＭ放送波の受信状態が「高」であると判別した場合、制御部１０は、アイコンＩ１及びアイコンＩＡを青色で表示する。また、例えば、ユーザーが選択するＡＭ放送局が放送するＡＭ放送波の受信状態が「低」であると判別し、ＦＭ放送局決定処理で決定したＦＭ放送局が放送するＦＭ放送波の受信状態が「中」であると判別した場合、制御部１０は、アイコンＩ１を赤色で表示し、アイコンＩＡを黄色で表示する。
【０１０５】
図５の例では、アイコンＩ１及びアイコンＩＡ以外のアイコンは、アイコンＩ１及びアイコンＩＡと異なる色で表示されている場合を示す。このように、ユーザーが選択したＡＭ放送局に係るアイコンと、ユーザーが選択しないＡＭ放送局に係るアイコンとの色を異ならせることで、制御部１０は、ユーザーに、ユーザーが選択したＡＭ放送局がどのＡＭ放送局であるかを分かり易く提示できる。
【０１０６】
前述した通り、制御部１０は、ＡＭ番組とＦＭ番組とが同じ内容の番組でない場合、アイコンの色を灰色に設定する。そのため、青色、黄色、及び、赤色のいずれかの色でアイコンを表示することは、ＡＭ放送局とサイマル関係にあるＦＭ放送局が、ＡＭ番組と同じ内容のＦＭ番組を放送していることを示す。すなわち、ＦＭ放送局が、サイマル放送を実行していることを示す。
【０１０７】
このように、制御部１０は、サイマル放送を実行するＦＭ放送局について、ＦＭ放送局に関する情報としてのアイコンの色を、受信状態に応じて異ならせて表示する。すなわち、制御部１０は、ＦＭ放送局に関する情報を受信状態に応じた態様で表示する。そのため、制御部１０は、ＡＭ放送局が放送するＡＭ番組と同じ内容のＦＭ番組を放送するＦＭ放送局に関する情報を、受信状態を踏まえてユーザーに提示できる。
【０１０８】
また、図５に示すように、制御部１０は、ユーザーの選択したＡＭ放送局について、ＡＭ放送局が放送するＡＭ放送波の受信状態に応じてアイコンＩ１の色と、当該ＡＭ放送局とサイマル関係にあるＦＭ放送局が放送するＦＭ放送波の受信状態に応じてアイコンＩＡの色とを異ならせ、アイコンＩ１とアイコンＩＡとを表示する。そのため、制御部１０は、同じ内容の番組を放送する異なる放送局に関する情報のそれぞれについて、受信状態を踏まえてユーザーに提示できる。したがって、ユーザーは、どちらの放送局を選択すれば受信状態の良い番組を聴取可能かの判断が容易となる。
【０１０９】
ここで、制御部１０は、灰色でアイコンＩＡを表示しているものとする。前述した通り、制御部１０は、ユーザーが選択したＡＭ放送局が放送するＡＭ番組の内容と、ＦＭ放送局決定処理により決定したＦＭ放送局が放送するＦＭ番組の内容とが同じ内容でない場合、ＦＭ放送局決定処理で決定したＦＭ放送局を示すアイコンの色を「灰」に設定する。つまり、制御部１０は、ＡＭ番組の内容とＦＭ番組の内容とが異なる場合、ＦＭ放送波の受信状態と異なる態様、すなわち、青色、黄色、及び、赤色のいずれでない色で、アイコンを表示する。したがって、この場合、制御部１０は、灰色でアイコンＩＡを表示することにより、ユーザーが選択したＡＭ放送局とサイマル関係にあるＦＭ放送局が放送するＦＭ番組が、当該ＡＭ放送局が放送するＡＭ番組と異なる内容の番組であるとユーザーに提示できる。そのため、ユーザーは、灰色が、ＡＭ番組とＦＭ番組との内容が同じでないことを示す色であると認識している場合、サイマル関係にあるＦＭ放送局がサイマル放送を実行していないと判断できる。
【０１１０】
図６は、ＡＭ放送局に関する情報と、ＡＭ放送局に対しサイマル関係にあるＦＭ放送局に関する情報とを表示する画面の一例を示す図である。
【０１１１】
図６の例では、ユーザーが「ＢＢＢ放送」の名称のＡＭ放送局を選択し場合における表示を示している。
【０１１２】
ここで、制御部１０は、図６に示すように、アイコンＩ１〜アイコンＩ８、アイコンＩＡ、アイコンＩＢ、アイコンＩＤ、アイコンＩＥ、及び、アイコンＩＦのうち、「ＢＢＢ放送」の名称のＡＭ放送局に係るアイコンＩ２及びアイコンＩＢの色を、ステップＳＡ７〜ステップＳＡ１０で設定した色で表示しているものとする。
【０１１３】
前述した通り、レコードＲ２は、「ＢＢＢ放送」を示す名称のＡＭ放送局に対し、サイマル関係のあるＦＭ放送局が２つあることを示している。つまり、「ＢＢＢ放送」を示す名称のＡＭ放送局は、サイマル関係にあるＦＭ放送局を２つ有している。しかしながら、図６に示すように、制御部１０は、「ＢＢＢ放送」を示す名称のＡＭ放送局に対し、「ＢＢ．Ａ  ＭＨｚ」の周波数を示すアイコンＩＢのみを表示する。これは、制御部１０が、ＦＭ放送局決定処理において、最も受信状態の良いＦＭ放送局を決定し、決定したＦＭ放送局に関する情報としてアイコンで表示するためである。
【０１１４】
このように、制御部１０は、ユーザーが選択したＡＭ放送局に対し、サイマル関係にあるＦＭ放送局が複数ある場合、最も受信状態の良いＦＭ放送局を示すアイコンを表示する。そのため、制御部１０は、サイマル関係にあるＦＭ放送局が複数ある場合、最も受信状態の良いＦＭ放送局を示すアイコンをユーザーに提示できるため、ユーザーの利便性が高まる。仮に、ユーザーが選択したＡＭ放送局に対しサイマル関係にある複数のＦＭ放送局のそれぞれがサイマル放送を実行する場合であっても、制御部１０は、最も受信状態の良いＦＭ放送局に関する情報をユーザーに提示できる。
【０１１５】
図２に示すフローチャートの説明に戻り、制御部１０は、ＡＭ放送局に関する情報と、ＦＭ放送局に関する情報との表示を実行すると、ユーザーのタッチパネル１２に対する接触操作に基づき、ユーザーが表示されるアイコンを選択したか否かを判別する（ステップＳＡ１６）。
【０１１６】
制御部１０は、ユーザーがアイコンを選択してないと判別した場合（ステップＳＡ１６：ＮＯ）、処理をステップＳＡ１８に移行させる。一方、制御部１０は、ユーザーがアイコンを選択したと判別した場合（ステップＳＡ１６：ＹＥＳ）、選択したアイコンに応じた処理を実行する(ステップＳＡ１７)。
【０１１７】
例えば、選択したアイコンに応じた処理とは、図５において、ユーザーがアイコンＩＡを選択した場合、「ＡＡ．Ａ  ＭＨｚ」のＦＭ放送局が放送するＦＭ番組を出力する処理である。また、例えば、選択したアイコンに応じた処理とは、図６において、ユーザーがアイコンＩ１を選択した場合、「ＡＡＡ  ｋＨｚ」のＡＭ放送局が放送するＡＭ番組を出力する処理である。
【０１１８】
ここで、アイコンを選択可能とし、ユーザーが選択したアイコンに基づく番組を出力する構成とすることにより、以下の効果を奏する。すなわち、制御部１０は、ユーザーが好む音質に応じた番組の出力が可能となる。詳述すると、ＡＭ番組の音声は、周波数特性を制限し、不要なノイズを出力しない音声とされる場合がある。そのため、聴取する番組によっては、ユーザーが好む番組が、ＡＭ番組であったり、ＦＭ番組であったりと異なる可能性がある。したがって、ユーザーが選択した放送局が放送する番組を出力する構成とすることで、ユーザーの利便性が高まる。そのため、選択可能とすることにより、ユーザーは、所望する音質の音声を出力する番組を選択でき、ユーザーの利便性が高まる。
【０１１９】
図２に示すフローチャートの説明に戻り、制御部１０は、ユーザーがＡＭ放送局の変更を行ったか否かを判別する（ステップＳＡ１８）。ユーザーが選択するＡＭ放送局の変更を行ったと判別した場合（ステップＳＡ１８：ＹＥＳ）、制御部１０は、処理をステップＳＡ３に移行させる。処理がステップＳＡ３に移行すると、制御部１０は、ユーザーが変更したＡＭ放送局に関する情報と、当該変更したＡＭ放送局とサイマル関係にあるＦＭ放送局に関する情報とを表示する。これにより、ユーザーがＡＭ放送局を変更した場合であっても、当該変更に応じて、ＡＭ放送局とサイマル関係にあるＦＭ放送局に関する情報とを、受信状態を踏まえてユーザーに提示できる。
【０１２０】
一方、制御部１０は、ユーザーがＡＭ放送局の変更を行っていないと判別した場合（ステップＳＡ１８：ＮＯ）、ＡＭラジオ放送、及び、ＦＭラジオ放送を含むラジオ放送の出力を終了するか否かを判別する（ステップＳＡ１９）。
【０１２１】
制御部１０は、ＡＭラジオ放送、及び、ＦＭラジオ放送を含むラジオ放送の出力を終了しないと判別した場合（ステップＳＡ１９：ＮＯ）、処理をステップＳＡ６に移行させる。前述した通り、車載受信装置１は、車両に搭載される装置である。そのため、車両の走行に応じて、車両の位置が異なることに起因し、ＡＭ放送波とＦＭ放送波との受信状態は、車両の走行に応じて異なる可能性がある。ここで、処理をステップＳＡ６に移行させることにより、制御部１０は、例えば、車両の走行に応じて、ＡＭ放送波とＦＭ放送波との受信状態も異なった場合でも、当該異なりに応じたアイコンの表示ができる。
【０１２２】
一方、制御部１０は、ＡＭラジオ放送、及び、ＦＭラジオ放送を含むラジオ放送の出力を終了すると判別した場合（ステップＳＡ１９：ＹＥＳ）、本処理を終了する。
【０１２３】
以上、説明したように、車載受信装置１（放送受信装置）は、ＡＭ番組（第１の番組）を受信するＡＭチューナー部１３１（第１の放送受信部）と、ＦＭ番組（第２の番組）を受信可能なＦＭチューナー部１３２（第２の放送受信部）と、ＡＭチューナー部１３１により受信したＡＭ番組の内容と、ＦＭチューナー部１３２により受信したＦＭ番組の内容とを比較する番組比較部１４４と、ＦＭ番組の受信状態を測定する受信状態測定部１３３と、受信可能な番組、もしくは、受信した番組を放送する放送局に関する情報を表示するタッチパネル１２（表示部）と、ＡＭチューナー部１３１により受信したＡＭ番組を放送するＡＭ放送局に対し、サイマル関係にあるＦＭ放送局がある場合、ＡＭ番組の内容とＦＭ番組の内容とを番組比較部１４４により比較し、番組比較部１４４による比較の結果、ＡＭ番組とＦＭ番組とが同一の番組である場合、ＦＭチューナー部１３２により受信したＦＭ番組を放送するＦＭ放送局に関する情報を、ＦＭ番組の受信状態に応じた態様でタッチパネル１２により表示する制御部１０と、を備える。
本実施形態では、制御部１０は、ＦＭ放送局に関する情報を示すアイコンの色を受信状態に応じて異ならせて、当該アイコンを表示する。
【０１２４】
これにより、制御部１０は、ＦＭ放送局に関する情報を受信状態に応じた態様で表示するため、ＡＭ放送局が放送するＡＭ番組と同じ内容のＦＭ番組を放送するＦＭ放送局に関する情報を、受信状態を踏まえてユーザーに提示できる。
【０１２５】
また、制御部１０は、番組比較部１４４による比較の結果、ＡＭ番組と、サイマル関係にあるＦＭ放送局が放送するＦＭ番組とが同一の番組でない場合、ＦＭチューナー部１３２により受信したＦＭ番組を放送するＦＭ放送局に関する情報を、ＦＭ番組の受信状態に応じた態様と、異なる態様でタッチパネル１２により表示する。
本実施形態では、制御部１０は、ＦＭ放送局に関する情報を示すアイコンの色を、青色、黄色、及び、赤色のいずれの色でなく、灰色にして、当該アイコンを表示する。
【０１２６】
これにより、制御部１０は、ＡＭ放送局とサイマル関係にあるＦＭ放送局が放送するＦＭ番組が、当該ＡＭ放送局が放送するＡＭ番組と異なる内容の番組であるとユーザーに提示できる。そのため、ユーザーは、サイマル関係にあるＦＭ放送局がサイマル放送を実行していない、すなわち、ＡＭ番組と同じ内容のＦＭ番組を放送していないと判断できる。
【０１２７】
また、制御部１０は、番組比較部１４４による比較の結果、ＡＭ番組と同一の番組であるＦＭ番組が複数ある場合、最も受信状態の良いＦＭ番組を放送するＦＭ放送局に関する情報をタッチパネル１２により表示する。
【０１２８】
これにより、制御部１０は、サイマル関係にあるＦＭ放送局が複数ある場合、最も受信状態の良いＦＭ放送局に関する情報を表示するため、サイマル関係にあるＦＭ放送局が複数ある場合、最も受信状態の良いＦＭ放送局に関する情報をユーザーに提示でき、ユーザーの利便性が高まる。仮に、ユーザーが選択したＡＭ放送局に対しサイマル関係にある複数のＦＭ放送局のそれぞれがサイマル放送を実行する場合であっても、制御部１０は、最も受信状態の良いＦＭ放送局に関する情報をユーザーに提示できる。
【０１２９】
また、アイコンとして表示するＦＭ放送局に関する情報とＡＭ放送局に関する情報とは、放送局の名称に関する情報、又は、放送局の周波数に関する情報である。
【０１３０】
これにより、制御部は、アイコンとして、放送局の名称に関する情報、又は、放送局の周波数に関する情報をユーザーに提示する。そのため、ユーザーは、受信状態と共に、ＡＭ放送局とＦＭ放送局とについて、放送局の名称、又は、放送局の周波数を認識することができる。
【０１３１】
また、車載受信装置１は、ＡＭ番組を放送するＡＭ放送局（第１の放送局）の周波数を示す情報と、ＡＭ放送局とサイマル関係にあるＦＭ放送局（第２の放送局）の周波数を示す情報とが対応付く周波数テーブル１１１（放送局対応情報）を記憶する記憶部１１を備える。制御部１０は、周波数テーブル１１１に基づき、ＡＭ放送局に対しＦＭ放送局がある場合、ＡＭ放送局に関する名称を示す情報、及び、ＡＭ放送局の周波数を示す情報とＦＭ放送局の周波数を示す情報との組を、同時に、タッチパネル１２により表示する。
【０１３２】
これにより、制御部１０は、多数あるＦＭ放送局の中から、どのＦＭ放送局が、どのＡＭ放送局とサイマル関係にあるかをユーザーに提示できる。そのため、ユーザーは、容易にサイマル関係にあるＦＭ放送局を探し出すことができる。
【０１３３】
また、制御部１０は、周波数テーブル１１１に基づき、ＡＭ放送局に対しサイマル関係にあるＦＭ放送局がない場合、タッチパネル１２により、ＡＭ放送局に対しサイマル関係にあるＦＭ放送局がないことを示す表示を実行する。
【０１３４】
これにより、制御部１０は、受信可能なＡＭ放送局に対しサイマル関係にあるＦＭ放送局がないことをユーザーに提示できる。
【０１３５】
また、制御部は、放送局に関する情報を、選択可能な態様でタッチパネル１２により表示する。本実施形態では、制御部１０は、選択可能なアイコンとして、放送局に関する情報を表示する。
【０１３６】
前述した通り、ユーザーが好む音質によって、ユーザーは、聴取する番組が、ＡＭ番組またはＦＭ番組と異なる場合がある。ここで、選択可能とすることにより、ユーザーは、所望する音質の音声を出力する番組を選択でき、ユーザーの利便性が向上する。
【０１３７】
上述した実施形態は、あくまでも本発明の一態様を例示するものであって、本発明の趣旨を逸脱しない範囲で任意に変形、及び、応用が可能である。
【０１３８】
例えば、上述した実施形態では、受信状態に応じてアイコンの色を、青色、黄色、赤色のいずれかに異ならせる場合を例示した。しかしながら、受信状態に応じて異なる表示の態様は、アイコンの色を異ならせる態様に限定されず、例えば、受信状態に応じた数値を表示する態様でもよい。
【０１３９】
また、例えば、上述した実施形態では、ＡＭ番組とＦＭ番組とが異なる内容の番組である場合、アイコンの色を灰色にする場合を例示した。しかしながら、サイマル関係にあるＦＭ放送局がＡＭ番組と異なる番組を放送することを示す表示の態様は、アイコンの色を灰色にすることに限定されず、例えば、「違う番組を放送中」等の文字を表示する態様でもよい。
【０１４０】
また、例えば、上述する実施形態では、チューナー部１３が受信状態測定部１３３として機能する構成を例示したが、制御部１０が受信状態測定部１３３として機能する構成としてもよい。
【０１４１】
また、例えば、上述した実施形態では、放送受信装置を、車両に搭載される車載受信装置１として例示したが、放送受信装置の形態は任意であり、例えば歩行者が携帯するポータブル型の装置でも良い。
【０１４２】
また、例えば、上述した車載受信装置１の制御方法が、車載受信装置１が備えるコンピューターを用いて実現される場合、本発明を、上記制御方法を実現するためにコンピューターが実行するプログラム、このプログラムを前記コンピューターで読み取り可能に記録した記録媒体、或いは、このプログラムを伝送する伝送媒体の態様で構成することも可能である。上記記録媒体としては、磁気的、光学的記録媒体又は半導体メモリーデバイスを用いることができる。具体的には、フレキシブルディスク、ＨＤＤ（Hard Disk Drive）、ＣＤ−ＲＯＭ（Compact Disk Read Only Memory）、ＤＶＤ（Digital Versatile Disk）、Ｂｌｕ−ｒａｙ（登録商標）  Ｄｉｓｃ、光磁気ディスク、フラッシュメモリー、カード型記録媒体等の可搬型の、或いは固定式の記録媒体が挙げられる。また、上記記録媒体は、車載受信装置１が備える内部記憶装置であるＲＯＭ（Read Only Memory）、ＨＤＤ等の不揮発性記憶装置であってもよい。
【０１４３】
また、例えば、図１は、本願発明を理解容易にするために、車載受信装置１の機能構成を主な処理内容に応じて分類して示した概略図であり、車載受信装置１の構成は、処理内容に応じて、さらに多くの構成要素に分類することもできる。また、１つの構成要素がさらに多くの処理を実行するように分類することもできる。
【０１４４】
また、例えば、図２、及び、図４のフローチャートの処理単位は、車載受信装置１の処理を理解容易にするために、主な処理内容に応じて分割したものであり、処理単位の分割の仕方や名称によって、本発明が限定されることはない。車載受信装置１の処理は、処理内容に応じて、さらに多くの処理単位に分割してもよい。また、１つの処理単位がさらに多くの処理を含むように分割してもよい。
【符号の説明】
【０１４５】
１  車載受信装置（放送受信装置）
１０  制御部
１１  記憶部
１２  タッチパネル（表示部）
１１１  周波数テーブル（放送局対応情報）
１３１  ＡＭチューナー部（第１の放送受信部）
１３２  ＦＭチューナー部（第２の放送受信部）
１３３  受信状態測定部
１４４  番組比較部
【図１】
2018074185.tif 000003
【図２】
2018074185.tif 000004
【図３】
2018074185.tif 000005
【図４】
2018074185.tif 000006
【図５】
2018074185.tif 000007
【図６】
2018074185.tif 000008